(57)【要約】【課題】住宅用分電盤の取替え工事の際に，取付け場所における壁面からの電線の露出位置，即ち壁面の開口部の位置にかかわらず，容易に電線の引込み工事を行うことを可能とし，作業効率を向上させることができる住宅用分電盤用アタッチメントを提供すること。【解決手段】アタッチメントには，電線の引込み作業の妨げにならない範囲に開口部を設けたことを特徴として，住宅用分電盤と該住宅用分電盤を取付ける壁面との間に設けられる住宅用分電盤用アタッチメントを提供した。【選択図】図１
2007159232.tif 000002
【特許請求の範囲】
【請求項１】
電線の引込み作業の妨げにならない範囲に開口部を設けた，住宅用分電盤と該住宅用分電盤を取付ける壁面との間に設けられる住宅用分電盤用アタッチメント。
【請求項２】
前記アタッチメントには，住宅用分電盤に該アタッチメントを取付ける際に住宅用分電盤に設けられた穴部に嵌合し位置決めするための嵌め合い部が設けられるとともに，
壁面に取付ける際のねじを貫通挿入するための穴が設けられたことを特徴とする請求項１記載の住宅用分電盤用アタッチメント。
【請求項３】
前記アタッチメントには，住宅用分電盤と該アタッチメントをねじ止め固定するためのねじ止め用穴を設けたことを特徴とする請求項２記載の住宅用分電盤用アタッチメント。
【請求項４】
前記アタッチメントには，該アタッチメントの住宅用分電盤との取付け面側であって，該アタッチメントの略周縁部には，住宅用分電盤の壁面側に設けられた所定の凹部に係合する係合部が設けられることを特徴とする請求項１乃至請求項３記載の住宅用分電盤用アタッチメント。
【請求項５】
前記アタッチメントに設けられる壁面に取付ける際のねじを貫通挿入するための穴の位置は，
分電盤から壁面に向かう方向において，住宅用分電盤の本来の壁面への取付けねじが設けられる位置を投影した場所に設けられることを特徴とする請求項２乃至請求項４記載の住宅用分電盤用アタッチメント。
【発明の詳細な説明】
【技術分野】
【０００１】
本発明は，住宅用等として用いられる分電盤の付属装置に係り，特に，既設分電盤を新しい分電盤に取替える工事の際に用いて配線作業を容易に行うための付属装置に関する。
【背景技術】
【０００２】
分電盤に内設されるブレーカへの電線接続の作業性の改良については，例えば特許文献１に示すように公知である。この例においては，分電盤の筐体内に引込んだ電線を主幹ブレーカに接続する作業を容易にするために，その接続方法が改良されているものである。
【０００３】
さて，電線接続の作業性の改良は，住宅において，近年のオール電化工事に伴い，益々重要な課題となっている。また，負荷機器の増加に伴う分岐回路数の増加・増設や，住宅用分電盤の耐用年数が経過するなどの理由により，既設の住宅用分電盤を新しい住宅用分電盤に取替える場合には，既に設置されてある住宅用分電盤を一旦取り去り，新しい住宅用分電盤の取り付けを行うこととなる。この際，ほとんどの場合は，既設の住宅用分電盤を取去った後に壁面から露出している従来接続されていた電線をそのまま再利用して用いる施工方法をとっている。
【０００４】
【特許文献１】特開２００４−１６６３８５号  「０００２」，「０００７」
【発明の開示】
【発明が解決しようとする課題】
【０００５】
しかしながら，新しい住宅用分電盤の取付ける際に電線を引込む場合，電線の壁面からの露出場所によっては，この電線引込み作業が困難となる場合があった。通常，分電盤の壁への取付け面側（壁面側という）には，分電盤に電線を引込むための引込み部（図１２，図１３の１０１１）が設けられており，壁面には該引込み部１０１１と対応する位置に電線の貫通部となる開口部１００１を設けるように施工する。さて，分電盤取替え工事の際において，該開口部１００１の位置が，従来設置されていた住宅用分電盤の電線引込み部１０１１と，新しい住宅用分電盤の電線引込み部とが同一場所に設けられている場合にはそのまま取替え工事を行うことが可能であるが，図１４，図１５に示しているように，壁面に設けられた開口部１００１の位置と，新しい住宅用分電盤の電線引込み部１０１２とが異なる位置に設けられている場合，電線を分電盤に引込む際に，分電盤の壁面側と干渉して物理的に引込みが行えない場合があるという課題や，壁面側の開口部から分電盤の電線引込み部に電線を延設する場合に電線に負荷がかかり，接続される接続端子部に必要以上に負荷がかかり場合によっては端子部の破損につながるという課題があった。
【０００６】
また，施工業者によっては，一旦，住宅用分電盤の取替え現場まで赴き，壁面側の開口部１０００１の位置（電線の壁面からの露出位置）を確認した後に，該開口部１００１の位置が適合する住宅用分電盤の型番を調査して，発注を行うため，実際に現場まで出向く必要があるという手間と，取替え用の新しい住宅用分電盤を手配し入手するまでの時間がかかり，結果として施工完了までの納期がかかり，非効率であるという課題があった。
【０００７】
そこで，本発明はこのような課題に鑑みてなされたものであり，
住宅用分電盤の取替え工事の際に，取付け場所における壁面からの電線の露出位置，即ち壁面の開口部の位置にかかわらず，容易に電線の引込み工事を行うことを可能とし，作業効率を向上させることができる住宅用分電盤用アタッチメントを提供することを目的としている。
【課題を解決するための手段】
【０００８】
上記目的を達成するために，請求項１の発明では，電線の引込み作業の妨げにならない範囲に開口部を設けたことを特徴として，住宅用分電盤と該住宅用分電盤を取付ける壁面との間に設けられる住宅用分電盤用アタッチメントを提供したものである。
【０００９】
このような構成によれば，住宅用分電盤の取替え工事の際に，取付け場所における壁面からの電線の露出位置，即ち壁面の開口部の位置にかかわらず，容易に電線の引込み工事を行うことを可能とでき，作業効率を向上させることができる住宅用分電盤用アタッチメントを提供することができる。
【００１０】
また，前記アタッチメントには，住宅用分電盤に該アタッチメントを取付ける際に住宅用分電盤に設けられた穴部に嵌合し位置決めするための嵌め合い部が設けられるとともに，
壁面に取付ける際のねじを貫通挿入するための穴が設けられたことを特徴として構成してもよい。
【００１１】
これにより，アタッチメントを分電盤に取り付ける際に，位置あわせが楽に行えるとともに，所定の位置に位置あわせを行うことができるため，取り付け位置のずれ防止や，がたの防止が行えるように壁面にアタッチメントを取り付けることができる。
【００１２】
また，前記アタッチメントは，住宅用分電盤と該アタッチメントをねじ止め固定するためのねじ止め用穴を設けたことを特徴として構成してもよい。
【００１３】
これにより，住宅用分電盤とアタッチメントを取り付ける際の取り付け強度を向上させて取り付けることができる。
【００１４】
また，前記アタッチメントには，該アタッチメントの住宅用分電盤との取付け面側であって，該アタッチメントの略周縁部には，住宅用分電盤の壁面側に設けられた所定の凹部に係合する係合部が設けられることを特徴として構成してもよい。
【００１５】
これにより，住宅用分電盤と壁面との間に挟み込まれる形で取り付けられたアタッチメントの器体のそりを防止することができ，取り付け強度の向上を行うことができるとともに，見栄えよく取り付けを行うことができる。
【００１６】
前記アタッチメントに設けられる壁面に取付ける際のねじを貫通挿入するための穴の位置は，
分電盤から壁面に向かう方向において，住宅用分電盤の本来の壁面への取付けねじが設けられる位置を投影した場所に設けられることを特徴として構成してもよい。
【００１７】
これにより，住宅用分電盤とアタッチメントをより強固に取り付けできるとともに，ねじ止め穴を共通化したため，施工時における壁面への取り付けの作業効率をより向上させることができる。
【発明の効果】
【００１８】
本発明によれば，住宅用分電盤の取替え工事の際に，取付け場所における壁面からの電線の露出位置，即ち壁面の開口部の位置にかかわらず，容易に電線の引込み工事を行うことを可能とし，作業効率を向上させることができる住宅用分電盤用アタッチメントを提供することが可能となる。
【発明を実施するための最良の形態】
【００１９】
以下に本件発明の実施の形態に係る住宅用分電盤のアタッチメントについて，図面を参照しつつ詳細に説明する。
【００２０】
図１は，本発明の住宅用分電盤のアタッチメントの住宅用分電盤を取り付ける側（正面側という）からみた平面図，図２は該アタッチメントが壁面に取り付けられる側（壁面側という）からみた平面図，図３は該アタッチメントの正面側からみた斜視図，図４は前記斜視図の一部拡大図，また，図５はアタッチメントに取り付けられる住宅用分電盤１００の本体１１０の平面図，図６は住宅用分電盤の斜視図である。なお，図５において符号１１１は主開閉器，１１２は分岐開閉器，１１３は絶縁性素材で形成された感電防止カバー，１１４は住宅用分電盤を壁面に取り付ける際に利用するねじを貫通させるだるま穴，１１５は住宅用分電盤１００を壁面に取り付ける際に使用するねじ止め穴である。図７は壁面にアタッチメントを取り付ける場合の説明図，図８はアタッチメントに住宅用分電盤を取り付ける場合の説明図である。図９は住宅用分電盤とアタッチメントを同時に取り付ける場合の説明図である。図１０，図１１は壁面からの電線引込み説明図である。
【００２１】
図１において，アタッチメント１の筐体外形は，分電盤１００の筐体本体１１０における壁面側の外形寸法と略同一の大きさに形成されており，略中央部には壁面から露出する電線を引込むための開口部２が設けられている。また，該アタッチメント１の，正面側から壁面に向かう厚みは引込む電線の曲げを吸収できる程度に設けられている。
【００２２】
３は住宅用分電盤１００にアタッチメントを取り付ける際に住宅用分電盤１００に設けられただるま穴１１４の下側穴部に嵌合し位置決め固定するための嵌め合い部であり，左右に２つ設けられている。取り付け作業を行う場合，該嵌め合い部３を住宅用分電盤１００のだるま穴１１４の下側穴部に嵌め合い固定することにより，位置決めを容易に行うことができる。
【００２３】
４はアタッチメント１を壁面に取り付けるための取り付け穴であり，ねじなどにより固定される。該取り付け穴４は筐体の略端部に合計６個設けられている。該取り付け穴４の数は適宜設けるとよい。また，該取り付け穴４が設けられている位置は，アタッチメント１と住宅用分電盤１００を組み合わせた際に，正面側から壁面側を臨む方向において，住宅用分電盤１００の壁面への取り付け穴１１５を壁面側に投影させた位置（取り付け穴１１５と対応する位置）に設けられている。
【００２４】
５はアタッチメント１と住宅用分電盤１００とを固定するためのねじ止め穴である。前記嵌め合い部３により住宅用分電盤１００との取り付け位置決めが行われた後に，住宅用分電盤１００に設けられただるま穴１１４の上側穴部に通されたねじにより該アタッチメント１と住宅用分電盤１００が取り付け固定される。なお，アタッチメントの下部にも分電盤を取り付けるための穴部が複数設けられている。
【００２５】
６はアタッチメント１の正面側周縁部に設けられた住宅用分電盤との係合部であり，筐体正面側から若干突出して設けられている。該係合部６は，住宅用分電盤の背面に設けられた所定の凹部に係合するものであり，アタッチメント１と住宅用分電盤１００を取り付けた際に，該アタッチメント１の周縁部が取り付け力により外側方向へのそりや，撓みを防止する。
【００２６】
なお，前記所定の凹部とは，住宅用分電盤１００の背面において筐体の周囲に設けられているリブと，該リブの内側との間にできている若干の段差を指す。
【００２７】
７は，アタッチメント１の筐体の上下方向に筐体の一方から他方に亘って設けられたリブである。必要に応じて複数設けてもよい。また，該リブ７は，壁面に取り付けて電線を引込む際に電線と干渉するようであれば切り取って取り去る。
【００２８】
次に，アタッチメント１を壁面，及び，住宅用分電盤１００と取り付ける場合について説明を行う。
【００２９】
図７には，アタッチメント１を壁面に取り付ける場合の図を示している。この場合，従来設置されていた住宅用分電盤を一旦取り去った後，略同位置にアタッチメントを設置する。この際，アタッチメント１に設けられた壁面への取り付け穴４を利用して壁面にねじ止め固定する。なお，壁面には電線を通すための開孔が設けられているため，適宜位置を合わせて設置するとよい。このとき，壁面の開孔から露出している電線を，後に取り付ける住宅用分電盤の電線引込み穴の位置に合うように，引き出しておくと作業をスムーズに行うことが出来る。
【００３０】
次に，図８に示されているように，アタッチメント１に住宅用分電盤１００を取り付ける。この場合は，まず，アタッチメント１に設けられた嵌め合い部３と住宅用分電盤１００のだるま穴１１４の下側穴が合うように位置決めを行う。次に，該だるま穴１１４の上側穴からアタッチメントの分電盤とのねじ止め穴５にねじを通して，ねじ止め固定する。
【００３１】
そして，壁面の開孔から引き出しておいた電線を主開閉器１１１及び，分岐開閉器１１２に配線を適宜行う。
【００３２】
図９には，住宅用分電盤とアタッチメントを壁面に取り付ける第二の例を示している。この場合には，壁面の開口部から露出している電線を，適切にフォーミングした後，アタッチメント１と住宅用分電盤の筐体本体１１０を，アタッチメント１に設けられた嵌め合い部３と住宅用分電盤の筐体本体１１０のだるま穴１１４の下側穴が合うように位置決めし，電線の位置を考慮しつつ，取り付け穴１１５からねじを通して壁面に取り付け固定する。なお，アタッチメント１に設けられている取り付け穴４の位置は，前記取り付け穴１１５の位置と対応しているため，壁面へのねじ止めにより，住宅用分電盤の筐体本体１１０とアタッチメント１との両方が一度に壁面に固定される。
【００３３】
図１０，図１１は，アタッチメント１と住宅用分電盤１００を壁面に取り付けた状態を側面方向から示したもので，図１０は壁面の開孔が住宅用分電盤の電線引込み穴と略同一位置に設けられている場合を示しており，図１１は壁面の開孔が住宅用分電盤の電線引込み穴と上下方向にずれている場合を示したものである。
【００３４】
図１０のように，壁面の開孔が住宅用分電盤の電線引込み穴と略同一位置に設けられている場合には電線の引込みは，アタッチメントを用いない場合においても可能であるが，該アタッチメントを用いない場合と比較して電線の曲げ処理のスペースに余裕を設けられる分，より容易に行うことが出来る。
【００３５】
また，図１１のように壁面の開孔が住宅用分電盤の電線引込み穴と上下方向にずれている場合については，図のように，電線を住宅用分電盤の電線引込み穴まで引込むための曲げ処理のスペースの余裕を十分とることができ，壁面の開孔と住宅用分電盤の電線引込み穴の位置に関係なく電線を住宅用分電盤に引込むことが可能となる。
【産業上の利用可能性】
【００３６】
以上説明したように，本発明の住宅用分電盤におけるアタッチメントは，住宅用分電盤の取替え工事の際における取替えの施工作業性を高めたものであるため，住宅用分電盤の耐用年数が経過したことによる取替え工事のほか，リフォームを行う場合や，さらには新設の場合においても作業性の向上のため利用できる可能性がある。
【図面の簡単な説明】
【００３７】
【図１】本発明の第一の実施形態を示す正面から見た平面図である。
【図２】同壁面側から見た平面図である。
【図３】同正面側からみた斜視図である。
【図４】本発明におけるアタッチメントの住宅用分電盤との取り付け部の一部拡大図である。
【図５】住宅用分電盤の筐体本体を示した平面図である。
【図６】住宅用分電盤の斜視図である。
【図７】本発明におけるアタッチメントを壁面に取り付ける場合を示した図である。
【図８】本発明におけるアタッチメントを住宅用分電盤に取り付ける場合を示した図である。
【図９】本発明におけるアタッチメントを住宅用分電盤ならびに壁面に取り付ける場合を示した図である。
【図１０】アタッチメントと住宅用分電盤を壁面に取り付けた状態を側面方向から示した図。
【図１１】アタッチメントと住宅用分電盤を壁面に取り付けた状態を側面方向から示した図。
【図１２】背景技術を説明した図。
【図１３】背景技術を説明した図。
【図１４】背景技術を説明した図。
【図１５】背景技術を説明した図。
【符号の説明】
【００３８】
１  アタッチメント
２  開口部
３  嵌め合い部
４  壁面への取り付け部
５  分電盤とのねじ止め穴
６  係合部
７  リブ
１００  住宅用分電盤
１１０  筐体本体
１１１  主開閉器
１１２  分岐開閉器
１１３  感電防止カバー
１１４  だるま穴
１１５  壁面へのねじ止め穴
２００  電線
１００１  壁面の開孔
１０１１  住宅用分電盤の電線引込み部
１０１２  住宅用分電盤の電線引込み部
【図１】
2007159232.tif 000003
【図２】
2007159232.tif 000004
【図３】
2007159232.tif 000005
【図４】
2007159232.tif 000006
【図５】
2007159232.tif 000007
【図６】
2007159232.tif 000008
【図７】
2007159232.tif 000009
【図８】
2007159232.tif 000010
【図９】
2007159232.tif 000011
【図１０】
2007159232.tif 000012
【図１１】
2007159232.tif 000013
【図１２】
2007159232.tif 000014
【図１３】
2007159232.tif 000015
【図１４】
2007159232.tif 000016
【図１５】
2007159232.tif 000017